(57)【要約】【課題】電力を消費せずに筐体内の発熱源を冷却する。【解決手段】放熱板５６を通ってＣＣＤ５２に冷却液が循環供給されるように配管５４が配設される。配管５４中の冷却液は、手動式ポンプ６０によって送液される。手動式ポンプ６０は、筐体１２の上面に配置されたポンプ押しボタン２４をユーザが押圧操作して、シリンダ６２内のピストン６４を往復動させることにより、冷却液を送液する。【選択図】      図３
2007306053.tif 000002
【特許請求の範囲】
【請求項１】
携帯可能な筐体を有し、該筐体内の発熱源を通るように配設された循環流路に冷却液が循環供給されて、前記発熱源が冷却される携帯電子機器において、
前記循環流路に冷却液を循環供給する手動式のポンプと、
前記筐体の外装面上に設けられ、前記ポンプを駆動する駆動操作部材と、
を備えたことを特徴とする携帯電子機器。
【請求項２】
前記ポンプは、
前記筐体に内蔵されたシリンダと、
前記シリンダに設けられた吸込口と、
前記シリンダに設けられた吐出口と、
前記シリンダ内を往復動するピストンと、
前記吸込口に連結された第１逆止弁と、
前記吐出口に連結された第２逆止弁と、
からなり、前記駆動操作部材で前記ピストンを往復動させて前記循環流路に前記冷却液を循環させることを特徴とする請求項１に記載の携帯電子機器。
【請求項３】
前記携帯電子機器がデジタルカメラであって、シャッタボタンが前記駆動操作部材を兼用することを特徴とする請求項１又は２に記載の携帯電子機器。
【請求項４】
携帯可能な筐体を有し、該筐体内の発熱源を通るように配設された循環流路に冷却液が循環供給されて、前記発熱源が冷却される携帯電子機器において、
前記ポンプは、
前記筐体の外装面上に弾性体によって弾性変形可能に形成された押圧部と、
前記押圧部の内側に形成され、前記押圧部が押圧されることにより容積が変動する圧力室と、
前記圧力室に設けられた吸込口と、
前記圧力室に設けられた吐出口と、
前記吸込口に連結された第１逆止弁と、
前記吐出口に連結された第２逆止弁と、
からなり、前記押圧部を押圧操作することにより、前記圧力室の容積を変動させて前記循環流路に前記冷却液を循環させることを特徴とする携帯電子機器。
【請求項５】
前記押圧部が、前記筐体に設けられたグリップに形成され、該グリップを把持する指によって押圧操作されることを特徴とする請求項４に記載の携帯電子機器。
【請求項６】
携帯可能な筐体を有し、該筐体内の発熱源を通るように配設された循環流路に冷却液が循環供給されて、前記発熱源が冷却される携帯電子機器において、
前記ポンプは、
前記筐体に内蔵されたシリンダと、
前記シリンダの一端に設けられた吸込口と、
前記シリンダの他端に設けられた吐出口と、
前記シリンダ内を往復動するピストンと、
前記ピストンの両端を貫通して形成された流路と、
前記流路に設けられた第１逆止弁と、
前記吐出口に連結された第２逆止弁と、
からなり、前記筐体の傾斜で前記ピストンを往復動させて前記循環流路に前記冷却液を循環させることを特徴とする携帯電子機器。
【請求項７】
前記シリンダが、前記筐体に対して水平に設置されることを特徴とする請求項６に記載の携帯電子機器。
【請求項８】
携帯可能な筐体を有し、該筐体内の発熱源を通るように配設された循環流路に冷却液が循環供給されて、前記発熱源が冷却される携帯電子機器において、
前記ポンプを構成するギアポンプと、
回転中心に対して偏心した位置に重心を有し、前記筐体の傾斜によって回転する回転体と、
前記回転体の回転を前記ギアポンプに伝達する動力伝達手段と、
を備えたことを特徴とする携帯電子機器。
【請求項９】
携帯可能な筐体を有し、該筐体内の発熱源を通るように配設された循環流路に冷却液が循環供給されて、前記発熱源が冷却される携帯電子機器において、
前記ポンプを構成するギアポンプと、
回転中心に対して偏心した位置に重心を有し、前記筐体の傾斜によって回転する回転体と、
回転動力を蓄積、放出する回転動力蓄積手段と、
前記回転体と前記ギアポンプのいずれか一方に選択的に接続され、前記回転体に接続されると、該回転体の回転を前記回転動力蓄積手段に伝達する一方、前記ギアポンプに接続されると、前記回転動力蓄積手段に蓄積された回転動力を前記ギアポンプに伝達する動力伝達手段と、
を備えたことを特徴とする携帯電子機器。
【請求項１０】
前記循環流路がバッテリを通ることを特徴とする請求項１〜９のいずれかに記載の携帯電子機器。
【請求項１１】
前記バッテリを回避するバイパス流路と、
前記バッテリの温度が規定値以上になると、前記冷却液の流れを前記バイパス流路に切り替える切替手段と、
を備えたことを特徴とする請求項１０に記載の携帯電子機器。
【発明の詳細な説明】
【技術分野】
【０００１】
本発明は携帯電子機器に係り、特に筐体内の発熱源に冷却液を循環供給して冷却する携帯電子機器に関する。
【背景技術】
【０００２】
デジタルカメラや携帯電話機などの小型の携帯電子機器では、内部の電子機器で発生した熱が筐体内に籠もりやすいという傾向がある。
【０００３】
デジタルカメラの場合、ＣＣＤ等の撮像素子を用いて画像を撮像するが、この撮像素子の温度が上昇すると、出力される信号のＳ／Ｎ比が低下し、画像にノイズが増えるという問題がある。
【０００４】
そこで、特許文献１〜４では、撮像素子に流路を形成し、その流路に冷却液を流すことにより、撮像素子を冷却することが提案されている。
【特許文献１】特開平５−１４７８６号公報
【特許文献２】特開平５−１６１０４３号公報
【特許文献３】特開平５−１７６２０９号公報
【特許文献４】特開平５−１７６２１０号公報
【発明の開示】
【発明が解決しようとする課題】
【０００５】
ところで、特許文献１〜４では、冷却液の送液に電動式のポンプを用いているが、このような電動式のポンプを用いて冷却液の送液を行うと、消費電力が大きくなるという欠点がある。特にデジタルカメラなどの携帯電子機器では、バッテリで駆動するため、消費電力が大きくなると、使用可能時間が低下するという問題がある。また、ポンプを駆動するためのモータ等を筐体内に設置しなければならないため、その分装置が大型化するという欠点もある。
【０００６】
本発明は、このような事情に鑑みてなされたもので、電力を消費せずに筐体内の発熱源を冷却できる携帯電子機器を提供することを目的とする。
【課題を解決するための手段】
【０００７】
請求項１に係る発明は、前記目的を達成するために、携帯可能な筐体を有し、該筐体内の発熱源を通るように配設された循環流路に冷却液が循環供給されて、前記発熱源が冷却される携帯電子機器において、前記循環流路に冷却液を循環供給する手動式のポンプと、前記筐体の外装面上に設けられ、前記ポンプを駆動する駆動操作部材と、を備えたことを特徴とする携帯電子機器を提供する。
【０００８】
請求項１に係る発明によれば、手動式のポンプによって冷却液の送液が行われる。これにより、電力を消費することなく、発熱源を冷却することができる。
【０００９】
請求項２に係る発明は、前記目的を達成するために、前記ポンプは、前記筐体に内蔵されたシリンダと、前記シリンダに設けられた吸込口と、前記シリンダに設けられた吐出口と、前記シリンダ内を往復動するピストンと、前記吸込口に連結された第１逆止弁と、前記吐出口に連結された第２逆止弁と、からなり、前記駆動操作部材で前記ピストンを往復動させて前記循環流路に前記冷却液を循環させることを特徴とする請求項１に記載の携帯電子機器を提供する。
【００１０】
請求項２に係る発明によれば、筐体の外装面上に設けられた駆動操作部材でポンプのピストンを往復動させることにより、冷却液を送液する。
【００１１】
請求項３に係る発明は、前記目的を達成するために、前記携帯電子機器がデジタルカメラであって、シャッタボタンが前記駆動操作部材を兼用することを特徴とする請求項１又は２に記載の携帯電子機器を提供する。
【００１２】
請求項３に係る発明によれば、携帯電子機器がデジタルカメラの場合において、シャッタボタンが駆動操作部材を兼用する。すなわち、シャッタボタンの押圧操作に連動して、ポンプのピストンが往復動し、冷却液の送液が行われる。
【００１３】
請求項４に係る発明は、前記目的を達成するために、携帯可能な筐体を有し、該筐体内の発熱源を通るように配設された循環流路に冷却液が循環供給されて、前記発熱源が冷却される携帯電子機器において、前記ポンプは、前記筐体の外装面上に弾性体によって弾性変形可能に形成された押圧部と、前記押圧部の内側に形成され、前記押圧部が押圧されることにより容積が変動する圧力室と、前記圧力室に設けられた吸込口と、前記圧力室に設けられた吐出口と、前記吸込口に連結された第１逆止弁と、前記吐出口に連結された第２逆止弁と、からなり、前記押圧部を押圧操作することにより、前記圧力室の容積を変動させて前記循環流路に前記冷却液を循環させることを特徴とする携帯電子機器を提供する。
【００１４】
請求項４に係る発明によれば、筐体の外装面上に弾性体によって弾性変形可能に形成された押圧部を押圧操作することにより、冷却液の送液が行われる。
【００１５】
請求項５に係る発明は、前記目的を達成するために、前記押圧部が、前記筐体に設けられたグリップに形成され、該グリップを把持する指によって押圧操作されることを特徴とする請求項４に記載の携帯電子機器を提供する。
【００１６】
請求項５に係る発明によれば、押圧部がグリップに形成されており、グリップを把持する操作に連動して、冷却液の送液が行われる。
【００１７】
請求項６に係る発明は、前記目的を達成するために、携帯可能な筐体を有し、該筐体内の発熱源を通るように配設された循環流路に冷却液が循環供給されて、前記発熱源が冷却される携帯電子機器において、前記ポンプは、前記筐体に内蔵されたシリンダと、前記シリンダの一端に設けられた吸込口と、前記シリンダの他端に設けられた吐出口と、前記シリンダ内を往復動するピストンと、前記ピストンの両端を貫通して形成された流路と、前記流路に設けられた第１逆止弁と、前記吐出口に連結された第２逆止弁と、からなり、前記筐体の傾斜で前記ピストンを往復動させて前記循環流路に前記冷却液を循環させることを特徴とする携帯電子機器を提供する。
【００１８】
請求項６に係る発明によれば、筐体の傾斜によってポンプを構成するピストンが往復動し、自動で冷却液の送液が行われる。
【００１９】
請求項７に係る発明は、前記目的を達成するために、前記シリンダが、前記筐体に対して水平に設置されることを特徴とする請求項６に記載の携帯電子機器を提供する。
【００２０】
請求項７に係る発明によれば、シリンダが筐体に対して水平に設置される。これにより、筐体の僅かな傾斜によってもポンプを動作させることができ、効率よく冷却液の送液が行われる。
【００２１】
請求項８に係る発明は、前記目的を達成するために、携帯可能な筐体を有し、該筐体内の発熱源を通るように配設された循環流路に冷却液が循環供給されて、前記発熱源が冷却される携帯電子機器において、前記ポンプを構成するギアポンプと、回転中心に対して偏心した位置に重心を有し、前記筐体の傾斜によって回転する回転体と、前記回転体の回転を前記ギアポンプに伝達する動力伝達手段と、を備えたことを特徴とする携帯電子機器を提供する。
【００２２】
請求項８に係る発明によれば、筐体の傾斜によって回転体が回転し、その回転が動力伝達手段を介してギアポンプに伝達され、冷却水が送水される。
【００２３】
請求項９に係る発明は、前記目的を達成するために、携帯可能な筐体を有し、該筐体内の発熱源を通るように配設された循環流路に冷却液が循環供給されて、前記発熱源が冷却される携帯電子機器において、前記ポンプを構成するギアポンプと、回転中心に対して偏心した位置に重心を有し、前記筐体の傾斜によって回転する回転体と、回転動力を蓄積、放出する回転動力蓄積手段と、前記回転体と前記ギアポンプのいずれか一方に選択的に接続され、前記回転体に接続されると、該回転体の回転を前記回転動力蓄積手段に伝達する一方、前記ギアポンプに接続されると、前記回転動力蓄積手段に蓄積された回転動力を前記ギアポンプに伝達する動力伝達手段と、を備えたことを特徴とする携帯電子機器を提供する。
【００２４】
請求項９に係る発明によれば、回転動力の伝達方向を選択的に切り替え可能な動力伝達手段が備えられており、その動力伝達手段を回転体に接続すると、回転体の回転が回転動力蓄積手段に伝達されて、回転動力蓄積手段に蓄積される。一方、その動力伝達手段をギアポンプに接続すると、回転動力蓄積手段に蓄積された回転動力がギアポンプに伝達され、ギアポンプが回転駆動されて、冷却水が送水される。すなわち、任意のタイミングで冷却水の送水を行うことができる。
【００２５】
請求項１０に係る発明は、前記目的を達成するために、前記循環流路がバッテリを通ることを特徴とする請求項１〜９のいずれかに記載の携帯電子機器を提供する。
【００２６】
請求項１０に係る発明によれば、循環流路がバッテリを通るように配設される。これにより、発熱源で奪った熱をバッテリに排熱でき、その熱でバッテリを温めて、内部の化学活性を促進させることができ、バッテリの寿命を延長させることができる。
【００２７】
請求項１１に係る発明は、前記目的を達成するために、前記バッテリを回避するバイパス流路と、前記バッテリの温度が規定値以上になると、前記冷却液の流れを前記バイパス流路に切り替える切替手段と、を備えたことを特徴とする請求項１０に記載の携帯電子機器を提供する。
【００２８】
請求項１１に係る発明によれば、バッテリを回避するバイパス流路が備えられており、バッテリの温度が規定値以上になると、バイパス流路側に流れが切り替えられる。これにより、バッテリに排熱できない場合であっても、冷却液を放熱できるようになる。
【発明の効果】
【００２９】
本発明に係る携帯電子機器によれば、筐体内の発熱源を手動で冷却することができる。
【発明を実施するための最良の形態】
【００３０】
以下、添付図面を参照して本発明に係る携帯電子機器を実施するための最良の形態について説明する。
【００３１】
図１、図２は、それぞれ本発明が適用されたデジタルカメラの外観構成を示す正面斜視図と背面斜視図である。
【００３２】
同図に示すように、このデジタルカメラ１０は、いわゆるコンパクトタイプのデジタルカメラであって、携帯可能な筐体１２を有している。筐体１２は、片手で把持可能な矩形の箱状に形成されており、その正面の左側部にグリップ１４が張り出して形成されている。
【００３３】
筐体１２の正面には、図１に示すように、撮影レンズ１６、ストロボ１８、ファインダ窓２０等が設けられており、また、上面には、シャッタボタン２２、ポンプ押しボタン２４等が設けられている。
【００３４】
撮影レンズ１６は、沈胴式のズームレンズで構成されており、撮影時に筐体１２から繰り出される。被写体の光学像は、この撮影レンズ１６を介して筐体１２の内部に設置された図示しない撮像素子（本実施の形態ではＣＣＤ）の受光面上に結像される。
【００３５】
シャッタボタン２２は、いわゆる「半押し」と「全押し」とからなる２段ストローク式のスイッチで構成されており、このシャッタボタン２２の「半押し」によってＡＥ（Automatic Exposure）、ＡＦ（Auto Focus）が行われ、「全押し」によって画像の記録が行われる。
【００３６】
ポンプ押しボタン２４は、シャッタボタン２２の近傍位置（グリップ１４を把持した手の人指し指で操作可能な位置）に配置されており、図示しないスプリングに付勢されて筐体１２の上面から突出して設けられている。このポンプ押しボタン２４は、筐体１２に内蔵された手動式ポンプの駆動操作部材として機能し、押圧操作されることにより、手動式ポンプを動作させる。なお、この点については、後に詳述する。
【００３７】
筐体１２の背面には、図２に示すように、モニタ２６、ファインダ接眼部２８、電源／モードスイッチ３０、マクロボタン３２、ズームレバー３４、ストロボボタン３６、フォトモードボタン３８、ＭＥＮＵ／ＯＫボタン４０、ＢＡＣＫボタン４２等が設けられている。
【００３８】
モニタ２６は、カラー表示が可能な液晶モニタで構成されている。このモニタ２６は、撮影済み画像の表示画面として利用されるとともに、各種設定時にユーザインターフェースとして利用される。また、撮影時には、必要に応じてスルー画像が表示され、画角確認用の電子ファインダとして利用される。
【００３９】
電源／モードスイッチ３０は、電源のＯＮ／ＯＦＦする電源スイッチとしての機能と、モードの切り替えを指示するモードスイッチとして機能を有しており、「ＯＦＦ位置」と「再生位置」と「撮影位置」との間をスライド自在に設けられている。デジタルカメラ１０は、このモードスイッチ３０を「再生位置」又は「撮影位置」に合わることにより、電源がＯＮされ、「ＯＦＦ位置」に合わせることにより、電源がＯＦＦされる。そして、「再生位置」に合わせることにより、「再生モード」に設定されて、撮影済み画像の再生が可能になり、「撮影位置」に合わせることにより、「撮影モード」に設定されて、画像の撮影が可能になる。
【００４０】
マクロボタン３２は、撮影時にマクロ機能の切り替えを指示するボタンとして機能するとともに、再生時に画像のコマ戻しを指示するボタンとして機能する。また、メニュー画面等でカーソルの左方向の移動を指示するボタンとして機能する。
【００４１】
ズームレバー３４は、上下方向に揺動自在に設けられており、撮影時にズーミングを指示するレバーとして機能するとともに、再生時に再生画像の拡大縮小を指示するレバーとして機能する。また、メニュー画面等でカーソルの上下方向の移動を指示するボタンとして機能する。
【００４２】
ストロボボタン３６は、撮影時にストロボ機能の切り替えを指示するボタンとして機能するとともに、再生時に画像のコマ送りを指示するボタンとして機能する。また、メニュー画面等でカーソルの右方向の移動を指示するボタンとして機能する。
【００４３】
フォトモードボタン３８は、撮影モード等の設定画面をモニタ２６に呼び出すボタンとして機能し、このフォトモードボタン３８を押してモニタ２６に呼び出される画面で撮影画像の記録画素数の設定や感度の設定、色調や階調の設定、プリント予約の設定等が行われる。
【００４４】
ＭＥＮＵ／ＯＫボタン４０は、メニュー画面の呼び出しを指示するボタンとして機能するとともに（ＭＥＮＵボタンの機能）、選択内容の確定、処理の実行等を指示するボタンとして機能する（ＯＫボタンの機能）。
【００４５】
ＢＡＣＫボタン４２は、入力操作のキャンセル等を指示するボタンとして機能するとともに、モニタ表示の切り替えを指示するボタンとして機能する。
【００４６】
なお、図示されていないが、筐体１２の底面には開閉自在な電池蓋が設けられており、その電池蓋の内側に電池を装填するための電池挿入部と、メモリカードを装填するためのメモリカードスロットとが設けられている。
【００４７】
さて、上記のように、本実施の形態のデジタルカメラ１０では、筐体１２の上面にポンプ押しボタン２４が設けられており、このポンプ押しボタン２４を押圧操作することにより、筐体１２の内部に設置された手動式ポンプが動作する。この手動式ポンプは、ＣＣＤを冷却するための冷却液の送液に使用される。すなわち、本実施の形態のデジタルカメラ１０には、ＣＣＤを冷却液で冷却するための冷却システムが組み込まれており、この冷却システムに手動式ポンプが使用される。
【００４８】
以下、本実施の形態のデジタルカメラ１０に組み込まれたＣＣＤの冷却システムについて説明する。
【００４９】
図３は、本実施の形態のデジタルカメラ１０に組み込まれたＣＣＤの冷却システム５０の構成図である。
【００５０】
同図に示すように、この冷却システム５０は、ＣＣＤ５２を通るように配設された配管５４に手動式ポンプ６０で冷却水を循環供給させることにより、ＣＣＤ５２を冷却する。
【００５１】
配管５４は、ＣＣＤ５２と放熱板５６を通るようにして筐体内部に配設されており、内部に冷却液が満たされている。
【００５２】
ＣＣＤ５２の裏面には、この配管５４を介して循環供給される冷却液の流路５４Ａが形成されている。この流路５４Ａは、冷却液の接触面積を大きくするため、蛇行して形成されており、この流路５４Ａを冷却液が流れることにより、ＣＣＤ５２で発生した熱が冷却液に吸熱される。
【００５３】
また、放熱板５６には、この配管５４を介して循環供給される冷却液の流路５４Ｂが形成されている。この流路５４Ｂは、冷却液の接触面積を大きくするため、蛇行して形成されており、この流路５４Ｂを冷却液が流れることにより、冷却液が放熱される。
【００５４】
手動式ポンプ６０は、主としてシリンダ６２と、ピストン６４と、第１逆止弁６６Ａと、第２逆止弁６６Ｂとで構成されている。
【００５５】
シリンダ６２は、円筒状に形成されており、吸込口６２Ａと吐出口６２Ｂとを備えている。
【００５６】
ピストン６４は、シリンダ６２内を往復動自在に設けられており、このピストン６４がシリンダ６２内を往復動することにより、シリンダ６２内の容積が変動する。このピストン６４には、ポンプ押しボタン２４が連結されており、このポンプ押しボタン２４を押圧操作することにより、ピストン６４がシリンダ６２内を往復動する。
【００５７】
なお、シリンダ６２内には、スプリング６８が配設されており、このスプリング６８によってポンプ押しボタン２４は、筐体１２の上面から突出する方向に付勢されている。
【００５８】
第１逆止弁６６Ａは、シリンダ６２の吸込口６２Ａに連結されており、第２逆止弁６６Ｂは、シリンダ６２の吐出口６２Ｂに連結されている。この第１逆止弁６６Ａと第２逆止弁６６Ｂは、冷却液が第１逆止弁６６Ａから第２逆止弁６６Ｂに向かってのみ流れるように設置され、流れの向きを揃えて設置されている。
【００５９】
以上のように構成された手動式ポンプ６０は、次のように動作する。すなわち、図４（ｂ）に示すように、ポンプ押しボタン２４を押すと、これに連結されたピストン６４が下降し、シリンダ６２内の容積が収縮する。そして、シリンダ６２内の容積が収縮すると、第１逆止弁６６Ａが閉じるとともに、第２逆止弁６６Ｂが開き、シリンダ６２内の冷却液が吐出口６２Ｂから排出される。この結果、配管５４内を冷却液が送液される。一方、ポンプ押しボタン２４の押圧力を解除すると、図４（ａ）に示すように、スプリング６８の付勢力によって、ピストン６４が上昇し、シリンダ６２内の容積が膨張する。そして、シリンダ６２内の容積が膨張すると、第１逆止弁６６Ａが開くとともに、第２逆止弁６６Ｂが開き、吸込口６２Ａからシリンダ６２内に冷却液が吸い込まれる。この結果、配管５４内を冷却液が送液される。
【００６０】
このように、手動式ポンプ６０は、ポンプ押しボタン２４の押圧操作によって動作し、冷却液を送液する。
【００６１】
本実施の形態のデジタルカメラ１０に組み込まれたＣＣＤ５２の冷却システム５０は以上のように構成される。以下、この冷却システム５０の作用について説明する。
【００６２】
デジタルカメラ１０は、継続的に使用することにより、内部の電子部品が発熱し、筐体内部の温度が上昇する。
【００６３】
一方、ＣＣＤ５２は、温度が上昇すると、出力信号のＳ／Ｎ比が低下し、画像にノイズが増える。
【００６４】
そこで、ユーザは、撮影の合間などの手の空いた時、ポンプ押しボタン２４を押圧操作し、手動式ポンプ６０を動作させる。
【００６５】
これにより、配管５４に冷却液が流れ、ＣＣＤ５２に冷却液が循環供給されて、ＣＣＤ５２が冷却される。すなわち、配管５４を流れる冷却液が、ＣＣＤ５２の裏面に形成された流路５４Ａを通ることにより、ＣＣＤ５２の熱が冷却液に奪われ、ＣＣＤ５２が冷却される。また、ＣＣＤ５２を通った冷却液は、放熱板５６を通ることにより、ＣＣＤ５２から奪った熱が放熱され、冷却される。
【００６６】
このように本実施の形態の冷却システム５０では、ポンプ押しボタン２４を押圧操作することにより、手動式ポンプ６０が動作し、ＣＣＤ５２に冷却液が循環供給されて、ＣＣＤ５２が冷却される。
【００６７】
これにより、電力を消費することなく、高画質な画像を撮影することができる。
【００６８】
なお、上記実施の形態では、ポンプ押しボタン２４の押圧操作によって、手動式ポンプ６０を動作させる構成としているが、手動式ポンプ６０を駆動操作する駆動操作部材の形式は、これに限定されるものではない。使用するポンプの形態等や設置する位置等に応じて適宜最適なものを使用することが好ましい。
【００６９】
たとえば、図５に示すように、筐体１２の外装面上にスライド式のレバー２４Ａをスライド自在に設け、このスライド式のレバーをスライド操作させることにより、手動式ポンプ６０のピストン６４を往復動させて、冷却液の送液を行うようにしてもよい。
【００７０】
また、使用するポンプも手動で駆動可能なものであればよく、他の構成のポンプを用いてもよい。
【００７１】
図６は、手動式ポンプの他の一例を示す構成図である。この手動式ポンプ７０は、筐体１２のグリップ１４の左端に形成された押圧部１４Ａを押圧することにより作動する。
【００７２】
図６に示すように、グリップ１４の表面は、全体がゴム等の弾性体７４によって覆われている。このグリップ１４の左端には、グリップ１４を把持した手の指先がかかる位置（図７参照）に押圧部１４Ａが形成されている。押圧部１４Ａは、円弧状形成されており、その内側には圧力室７２が形成されている。
【００７３】
圧力室７２は、グリップ１４の内側に空洞として形成されており、押圧部１４Ａが押圧されることにより、その容積が収縮する。一方、その押圧部１４Ａの押圧を解除すると、押圧部１４Ａの弾性復帰により、容積が膨張する。
【００７４】
この圧力室７２の筐体側の面は、円弧状に形成されており、その筐体側の面には、吸込口７２Ａと吐出口７２Ｂとが形成されている。そして、その吸込口７２Ａには、第１逆止弁６６Ａが連結されており、吐出口７２Ｂには、第２逆止弁６６Ｂが連結されている。この第１逆止弁６６Ａと第２逆止弁６６Ｂは、冷却液が第１逆止弁６６Ａから第２逆止弁６６Ｂに向かってのみ流れるように設置され、流れの向きを揃えて設置されている。
【００７５】
以上のように構成された手動式ポンプ７０は、次のように動作する。すなわち、図８（ｂ）に示すように、グリップ１４を把持した手の指で押圧部１４Ａを押すと、押圧部１４Ａが弾性変形し、圧力室７２の容積が収縮する。そして、圧力室７２の容積が収縮すると、第１逆止弁６６Ａが閉じるとともに、第２逆止弁６６Ｂが開き、圧力室７２内の冷却液が吐出口７２Ｂから排出される。この結果、配管５４内を冷却液が送液される。一方、押圧部１４Ａの押圧力を解除すると、図８（ａ）に示すように、押圧部１４Ａの弾性復元力によって、押圧部１４Ａが元の形状に弾性復帰し、圧力室７２の容積が膨張する。そして、圧力室７２の容積が膨張すると、第１逆止弁６６Ａが開くとともに、第２逆止弁６６Ｂが開き、吸込口７２Ａから圧力室７２内に冷却液が吸い込まれる。この結果、配管５４内を冷却液が送液される。
【００７６】
このように、手動式ポンプ７０は、グリップ１４に形成された押圧部１４Ａの押圧操作によって動作し、冷却液を送液する。
【００７７】
なお、上記構成の手動式ポンプ７０において、押圧部１４Ａを設置する位置は、グリップ１４に限定されるものではなく、他の位置に設けてもよい。たとえば、筐体１２の上面に形成し、筐体１２を把持した手の人指し指で操作可能な位置に配置してもよい。また、筐体１２の背面に形成し、筐体１２を把持した手の親指で操作可能な位置に配置してもよい。なお、上記例のように、グリップ１４に形成し、グリップ１４を把持した手の指先がかかる位置に配置することにより、無理なくかつ簡単に手動式ポンプ７０を動作させることができる。
【００７８】
この他、冷却システム５０に使用する手動式ポンプとしては、ベーンポンプや、図９に示すようにギアポンプ８０を用いてもよい。この場合、たとえば、同図に示すように、筐体１２の外装面上に回転式のダイヤル２４Ｂを回転自在に設け、このダイヤル２４Ｂを回転させることにより、ギアポンプ８０を駆動する。すなわち、ダイヤル２４Ｂの回転軸とギアポンプ８０の駆動軸とをギア列８２で連結し、ダイヤル２４Ｂの回転をギアポンプ８０の駆動軸に伝達可能に構成する。
【００７９】
なお、ボタンやダイヤル等の駆動操作部材を用いて手動式ポンプの駆動を行う場合、その駆動操作部材の設置場所は、特に限定されるものではないが、グリップ１４を把持した際、その把持した手の指で操作可能な位置に配置することが好ましい。
【００８０】
また、本実施の形態では、手動式ポンプの駆動を専用の駆動操作部材で行うように構成しているが、カメラの撮影操作部材で兼用するようにしてもよい。たとえば、シャッタボタンやズームボタン等と兼用し、これらの押圧操作に連動して動作するようにしてもよい。
【００８１】
図１０は、シャッタボタンがポンプ押しボタンを兼用した場合の冷却システムの構成図である。
【００８２】
同図に示すように、手動式ポンプ６０のピストン６４にシャッタボタン２２を連結し、このシャッタボタン２２の押圧動作によって、ピストン６４が往復動するように構成する。
【００８３】
ここで、符号２２Ａは、シャッタボタン２２を付勢する板バネユニットであり、この板バネユニット２２Ａによって、シャッタボタン２２の半押しと全押しが可能になる。
【００８４】
なお、このようにシャッタボタン２２は、板バネユニット２２Ａによって付勢されることから、シャッタボタン２２がポンプ押しボタンを兼用した場合、ピストン６４を付勢するスプリングが不要になる。これにより、構成を簡略化することができる。
【００８５】
このようにシャッタボタン２２がポンプ押しボタン２２を兼用する場合、手動式ポンプ６０は、次のように動作する。すなわち、図１１（ｂ）に示すように、シャッタボタン２２を半押しすると、これに連結されたピストン６４が下降し、シリンダ６２内の容積が収縮する。そして、シリンダ６２内の容積が収縮すると、第１逆止弁６６Ａが閉じるとともに、第２逆止弁６６Ｂが開き、シリンダ６２内の冷却液が吐出口６２Ｂから排出される。この結果、配管５４内を冷却液が送液される。
【００８６】
また、図１１（ｃ）に示すように、シャッタボタン２２を全押しすると、これに連結されたピストン６４が更に下降し、シリンダ６２内の容積が更に収縮する。そして、シリンダ６２内の容積が更に収縮すると、シリンダ６２内の冷却液が吐出口６２Ｂから排出される。この結果、配管５４内を冷却液が送液される。
【００８７】
一方、シャッタボタン２２の押圧力を解除すると、図１１（ａ）に示すように、板バネユニット２２Ａの付勢力によって、ピストン６４が上昇し、シリンダ６２内の容積が膨張する。そして、シリンダ６２内の容積が膨張すると、第１逆止弁６６Ａが開くとともに、第２逆止弁６６Ｂが閉じ、吸込口６２Ａからシリンダ６２内に冷却液が吸い込まれる。この結果、配管５４内を冷却液が送液される。
【００８８】
このように、ポンプ押しボタンをシャッタボタン２２と兼用することにより、シャッタボタン２２の押圧操作に連動して自動で手動式ポンプ６０を作動させることができる。
【００８９】
また、ポンプ押しボタンをシャッタボタン２２と兼用することにより、電源がＯＦＦされている時や再生モードの時でも手動式ポンプ６０を動作させることができる。
【００９０】
ズームボタン等の他のボタンで兼用する場合も同様の構成とすることで、ポンプ押しボタンと兼用することができる。
【００９１】
なお、手動式ポンプの駆動動作部材にスライド式の駆動操作部材を採用した場合には、スライド式のカメラの操作部材（たとえば、スライド式のモードスイッチ、ズームスイッチ等）と兼用されるように構成し、回転式の駆動操作部材を採用した場合には、回転式のカメラの操作部材（たとえば、回転式のモードダイヤルや操作ダイヤル等）と兼用されるように構成する。
【００９２】
図１２は、デジタルカメラに組み込まれたＣＣＤの冷却システムの他の実施の形態の構成図である。
【００９３】
この冷却システム１００は、冷却水の送液を行うポンプが、筐体の傾斜によって駆動される。
【００９４】
なお、ポンプの駆動機構以外の構成は、上記実施の形態の冷却システム５０と同じなので、ここでは、ポンプの駆動機構についてのみ説明し、他の構成については、上記実施の形態の冷却システム５０と同じ符号を付して、その説明は省略する。
【００９５】
図１２に示すように、冷却液の送液を行うポンプ１１０は、ギアポンプで構成されている。このギアポンプ１１０の駆動軸には、回転体１１２が連結されており、この回転体１１２の回転が、ギアポンプ１１０に伝達されて、ギアポンプ１１０が駆動される。
【００９６】
回転体１１２は、爪歯車１１４、板バネ１１６、アーム１１８及びウェイト１２０で構成されている。
【００９７】
爪歯車１１４は、ギアポンプ１１０の駆動軸に連結されており、この爪歯車１１４が回転することにより、ギアポンプ１１０の駆動軸が回転する。
【００９８】
板バネ１１６は、一端が筐体内の図示しないフレームに固定されており、他端が爪歯車１１４に噛み合わされている。爪歯車１１４は、この板バネ１１６により逆回転が規制され、一方向にのみ回転する。
【００９９】
アーム１１８は、棒状に形成されており、基端部が爪歯車１１４に固定されている。したがって、アーム１１８が回転すると、爪歯車１１４も回転する。
【０１００】
ウェイト１２０は、アーム１１８の先端に固着されている。回転体１１２は、このウェイト１２０の重量によって爪歯車１１４の軸芯と異なる位置に重心が配置される。
【０１０１】
以上の構成により、筐体を傾斜させると、回転体１１２が回転し、この回転がギアポンプ１１０の駆動軸に伝達されて、ギアポンプ１１０が駆動される。
【０１０２】
すなわち、筐体を傾斜させると、ウェイト１２０の作用、すなわち、ウェイト１２０が重力方向に移動しようとする作用によってアーム１１８が一方向に回転し、この結果、アーム１１８が固着された爪歯車１１４が一方向に回転する。そして、この爪歯車１１４が回転することにより、爪歯車１１４が連結されたギアポンプ１１０の駆動軸が回転し、ギアポンプ１１０が駆動される。
【０１０３】
このように、本実施の形態の冷却システムによれば、筐体を傾斜させることにより、自動的にポンプが駆動され、冷却液の送液が行われる。このポンプの駆動は、電力を消費しないため、バッテリを消耗させることなく、ＣＣＤ５２を冷却することができる。
【０１０４】
なお、上記実施の形態では、筐体を傾斜させると常に冷却液の送液が行われるように構成されているが、回転体１１２の回転動力を蓄積し、任意のタイミングで冷却液の送液が行われるように構成してもよい。
【０１０５】
図１３は、任意のタイミングで冷却液の送液を行うための冷却システムの構成図である。
【０１０６】
同図に示すように、この冷却システム２００では、回転体１１２の回転動力（回転エネルギ）をゼンマイ２１０に蓄積し、切替スイッチ２１２により、任意のタイミングでギアポンプ１１０に伝達する。
【０１０７】
なお、回転体の動力伝達機構以外の構成は、上記実施の形態の冷却システム１００と同じなので、ここでは回転体の動力伝達機構についてのみ説明し、他の構成については、上記実施の形態の冷却システム１００と同じ符号を付して、その説明は省略する。
【０１０８】
図１３に示すように、回転体１１２を構成する爪歯車１１４には、出力ギア２１４が連結されている。一方、ギアポンプ１１０の駆動軸には、入力ギア２１６が連結されている。
【０１０９】
上記切替スイッチ２１２は、筐体１２の外装面上（たとえば、上面）に設けられており、「ＯＮ位置」と「ＯＦＦ位置」との間をスライド自在に設けられている。この切替スイッチ２１２には、支柱２１８が一体的に連結されている。そして、この支柱２１８には、切替ギア２２０が回転自在に支持されている。
【０１１０】
切替ギア２２０は、図１４（ｂ）に示すように、切替スイッチ２１２をＯＮ位置に移動させると、入力ギア２１６に噛み合わされる。また、図１４（ａ）に示すように、切替スイッチ２１２をＯＦＦ位置に移動させると、出力ギア２１４に噛み合わされる。
【０１１１】
ゼンマイ２１０は、一端が、この切替ギア２２０の回転軸に固定されており、他端が、支柱２１８に設けられた支持部２１８Ａに固定されている。
【０１１２】
以上のように構成された冷却システムによれば、筐体１２を傾斜させると、ウェイト１２０の作用によって、回転体１１２が一方向に回転する。
【０１１３】
ここで、図１４（ａ）に示すように、切替スイッチ２１２がＯＦＦ位置に位置している場合、すなわち、切替ギア２２０が出力ギア２１４に噛み合わせされている場合、回転体１１２が回転すると、その回転動力が出力ギア２１４を介して切替ギア２２０に伝達される。この切替ギア２２０に伝達された回転動力は、切替ギア２２０に連結されたゼンマイ２１０に蓄積される。
【０１１４】
このように、切替スイッチ２１２をＯＦＦ位置に位置させた状態、すなわち、切替ギア２２０を出力ギア２１４に噛み合わせた状態で筐体１２を傾斜させることにより、ゼンマイ２１０に回転動力が蓄積される。
【０１１５】
このように蓄積された回転動力は、図１４（ｂ）に示すように、切替スイッチ２１２をＯＮ位置に移動させることにより、ギアポンプ１１０の駆動軸に放出され、ギアポンプ１１０が駆動される。すなわち、切替スイッチ２１２をＯＮ位置に移動させると、切替ギア２２０が入力ギア２１６に噛み合わされ、ゼンマイ２１０に蓄積された回転動力が入力ギア２１６に放出されて、入力ギア２１６が回転する。そして、この入力ギア２１６が回転することにより、ギアポンプ１１０の駆動軸が回転し、ギアポンプ１１０が駆動される。
【０１１６】
このように、本実施の形態の冷却システム２００によれば、切替スイッチ２１２のスライド操作によって、任意のタイミングでギアポンプ１１０を駆動することができる。これにより、必要なときにＣＣＤ５２を冷却できる。
【０１１７】
なお、このようなポンプの駆動動力を蓄積する機構は、駆動操作部材で手動式ポンプを駆動するシステムにも適用することができる。
【０１１８】
図１５は、筐体の傾斜によって駆動されるポンプが使用された冷却システムの他の一例を示す構成図である。
【０１１９】
なお、ポンプ以外の構成は、上記実施の形態の冷却システム１００と同じなので、ここでは、ポンプ構成についてのみ説明し、他の構成については、上記実施の形態の冷却システム１００と同じ符号を付して、その説明は省略する。
【０１２０】
同図に示すように、この冷却システム３００のポンプ３１０は、主として、筐体内部に設置されたシリンダ３１２と、そのシリンダ３１２内を往復動自在に設けられたピストン３１４と、第１逆止弁３１６Ａと、第２逆止弁３１６Ｂとで構成されている。
【０１２１】
シリンダ３１２は、筒状に形成されており、図示しない筐体内のフレームに固定されて、筐体に対して水平に設置されている（筐体を水平面上に置いたとき、水平になるように設置されている）。このシリンダ３１２の一端には吸込口３１２Ａが形成されており、他端には吐出口３１２Ｂが形成されている。
【０１２２】
ピストン３１４は、円柱状に形成されており、シリンダ３１２内を往復動自在に設けられている。このピストン３１４の中央には、軸線に沿って流路３１８が形成されており、この流路３１８に第１逆止弁３１６Ａが設けられている。
【０１２３】
第２逆止弁３１６Ｂは、シリンダ３１２の吐出口３１２Ｂに接続されており、第１逆止弁３１６Ａと向きを合わせて設置されている。すなわち、冷却液が第１逆止弁３１６Ａから第２逆止弁３１６Ｂに向かってのみ流れるように設置されている。
【０１２４】
以上のように構成されたポンプ３１０によれば、図１６（ａ）に示すように、たとえば、筐体１２を時計回りの方向に回転させて傾斜させると、シリンダ３１２内のピストン３１４が、吸込口３１２Ａの方向に移動する。ピストン３１４が吸込口３１２Ａの方向に移動すると、ピストン内の流路３１８に設置された第１逆止弁３１６Ａが開き、吸込口３１２Ａを介してシリンダ３１２内に冷却液が吸い込まれる。これにより、配管５４内を冷却液が送液される。
【０１２５】
一方、このようにしてシリンダ３１２内に吸い込まれた冷却液は、図１６（ｂ）に示すように、筐体１２を反時計回りの方向に回転させて傾斜させると、ピストン３１４に押されて、吐出口３１２Ｂから吐き出される。すなわち、筐体１２を反時計回りの方向に回転させて傾斜させると、シリンダ３１２内のピストン３１４が、吐出口３１２Ｂの方向に移動する。そして、ピストン内の流路３１８に設置された第１逆止弁３１６Ａが閉じるとともに、吐出口３１２Ｂに接続された第２逆止弁３１６Ｂが開き、ピストン３１４に押されて、シリンダ３１２内の冷却液が、吐出口３１２Ｂから吐き出される。これにより、配管５４内を冷却液が送液される。
【０１２６】
このように、筐体１２を傾斜させることにより、シリンダ３１２内をピストン３１４が移動し、自動で冷却液が送液される。
【０１２７】
なお、本例では、シリンダ３１２を筐体１２に対して水平に設置しているが、シリンダ３１２の設置角度は、これに限定されるものではない。ただし、本例のように、筐体１２に対してシリンダ３１２を水平に設置することにより、少しの傾斜でポンプ３１０を動作させることができ、効率よくポンプ３１０を可動させることができる。
【０１２８】
なお、上記実施の形態では、ＣＣＤを冷却する場合について説明したが、他の電子部品等を冷却することもできる。たとえば、ＣＣＤに加えてプロセッサを冷却するように構成することもできる。この場合、ＣＣＤに加えてプロセッサを通るように配管を配設する。また、ＣＣＤは冷却せず、プロセッサのみを冷却するように構成することもできる。この場合、プロセッサと放熱板を通るように配管を配設する。このように、冷却する部品は任意に設定でき、その部品を通るように配管を配設すればよい。
【０１２９】
また、上記実施の形態では、ＣＣＤから奪った熱を放熱板５６で放熱するように構成しているが、放熱部の構成は、これに限定されるものではない。たとえば、筐体の外装面上（たとえば、底面や裏面等）に流路を形成し、この流路に冷却液を循環供給させて、ＣＣＤ等の発熱源から奪った熱を放熱するようにしてもよい。
【０１３０】
また、図１７に示すように、バッテリ９０の近傍、より好ましくはバッテリ９０に接するように、放熱板５６を配置し、ＣＣＤ等の発熱源から奪った熱をバッテリ９０に排熱するようにしてもよい。これにより、低温時、ＣＣＤ等の熱源から奪った熱でバッテリ９０を温めることができ、バッテリ９０の持ちをよくすることができる。
【０１３１】
なお、バッテリ９０の近傍に放熱板５６を設置するのではなく、バッテリ９０を収納するバッテリ収納室に冷却液の流路を形成し、この流路に冷却液を流して、バッテリ９０に熱を逃がすようにしてもよい。
【０１３２】
なお、バッテリ自体も熱源となることから、バッテリ９０に熱を逃がす場合は、図１８に示すように、バッテリ９０に接するように第１放熱板５６Ａを設置するとともに、その後段位置に第２放熱板５６Ｂを設置することが好ましい。これにより、バッテリ９０の温度が上昇した場合、そのバッテリ９０で発生した熱を第１放熱板５６Ａで奪うことができ、その奪った熱を第２放熱板５６Ｂで放熱することができる。
【０１３３】
なお、図１９に示すように、バッテリ９０を回避するようにバイパス配管５４Ｃを配設し、三方バルブ９２によって冷却液の流れを選択的に変えられるようにしてもよい。すなわち、三方バルブ９２によって、バッテリ９０を通るように冷却液を流す場合（図中矢印Ａ方向）と、バッテリ９０を回避するように冷却液を流す場合（図中矢印Ｂ方向）とを切り替えられるようにする。
【０１３４】
これにより、バッテリ９０の温度が低い場合は、バッテリ９０を通るように冷却液を流し、バッテリ９０の温度が上がってきた場合は、バッテリ９０を回避するように冷却液を流すことができる。
【０１３５】
なお、三方バルブ９２の動作は、手動で行うようにしてもよいし、自動で行うようにしてもよい。
【０１３６】
手動で行う場合は、たとえば、筐体１２の外装面上に切替スイッチ等を設け、この切替スイッチからの入力に基づいて三方バルブ９２の駆動を制御し、流れの向きを切り替えるように構成する。
【０１３７】
一方、自動で行う場合は、バッテリ９０の温度を検出する温度センサを設け、この温度センサの出力に応じて制御手段（たとえば、カメラ全体の動作を統括制御するＣＰＵ等）で三方バルブ９２の駆動を制御する。すなわち、温度センサで検出されるバッテリ９０の温度が、あらかじめ設定された温度以下になると、制御手段は、バッテリ９０に冷却液が流れるように（図中矢印Ａ方向に流れるように）、三方バルブ９２を制御する。一方、温度センサで検出されるバッテリ９０の温度が、あらかじめ設定された温度を超えると、制御手段は、バッテリ９０を回避して冷却液が流れるように（図中矢印Ｂ方向に流れるように）、三方バルブ９２を制御する。これにより、バッテリ９０の温度が低い場合は、バッテリ９０を通るように冷却液を自動で流し、バッテリ９０の温度が高い場合は、バッテリ９０を回避するように冷却液を自動で流すことができる。
【０１３８】
この他、形状記憶合金やバイメタルを用いて三方バルブ９２の動作を制御し、冷却液の流れの向きを自動で切り替えるようにしてもよい。すなわち、たとえば、形状記憶合金やバイメタルによって三方バルブ９２の流れの向きが温度に応じて自動的に切り替わるように構成する（あらかじめ設定された温度以下になると、バッテリ９０に冷却液が流れ、あらかじめ設定された温度を超えると、バッテリ９０を回避して冷却液が流れるように構成する）。そして、この三方バルブ９２をバッテリ９０の近傍、より好ましくは、バッテリ９０に接するように設置する。これにより、温度に応じて三方バルブ９２の流れの向きが自動的に切り替えられる。すなわち、あらかじめ設定された温度以下になると、バッテリ９０に冷却液が流れ、あらかじめ設定された温度を超えると、バッテリ９０を回避して冷却液が流れるように三方バルブ９２が動作する。この場合、三方バルブ９２の駆動にも電力を消費せずに済む。
【０１３９】
なお、上記一連の実施の形態では、本発明をデジタルカメラに適用した場合を例に説明したが、本発明の適用はこれに限定されるものではない。筐体内部に発熱源（たとえば、撮像素子やプロセッサ等）を有する携帯電子機器であれば、全てに適用することができる。たとえば、携帯電話機（カメラ付きを含む）やビデオカメラ、ＰＤＡ、ノートパソコン等にも同様に適用することができる。
【図面の簡単な説明】
【０１４０】
【図１】デジタルカメラの外観構成を示す正面斜視図
【図２】デジタルカメラの外観構成を示す背面斜視図
【図３】冷却システムの構成図
【図４】手動式ポンプの動作説明図
【図５】駆動操作部材の他の一例を示す構成図
【図６】手動式ポンプの他の一例を示す構成図
【図７】図６に示す手動式ポンプの動作説明図
【図８】図６に示す手動式ポンプの動作説明図
【図９】手動式ポンプの他の一例を示す構成図
【図１０】シャッタボタンがポンプ押しボタンを兼用した場合の構成図
【図１１】図１０に示すシャッタボタンの動作説明図
【図１２】冷却システムの他の実施の形態の構成図
【図１３】任意のタイミングで冷却液の送液を行うための冷却システムの構成図
【図１４】図１３に示す冷却システムの動作説明図
【図１５】冷却システムの他の一例を示す構成図
【図１６】図１５に示す冷却システムの動作説明図
【図１７】冷却システムの他の一例を示す構成図
【図１８】冷却システムの他の一例を示す構成図
【図１９】冷却システムの他の一例を示す構成図
【符号の説明】
【０１４１】
１０…デジタルカメラ、１２…筐体、１４…グリップ、１４Ａ…押圧部、１６…撮影レンズ、１８…ストロボ、２０…ファインダ窓、２２…シャッタボタン、２４…ポンプ押しボタン、２４Ａ…レバー、２４Ｂ…ダイヤル、２６…モニタ、２８…ファインダ接眼部、３０…電源／モードスイッチ、３２…マクロボタン、３４…ズームレバー、３６…ストロボボタン、３８…フォトモードボタン、４０…ＭＥＮＵ／ＯＫボタン、４２…ＢＡＣＫボタン、５０…冷却システム、５２…ＣＣＤ、５４…配管、５４Ａ、５４Ｂ…流路、５６…放熱板、５６Ａ…第１放熱板、５６Ｂ…第２放熱板、６０…手動式ポンプ、６２…シリンダ、６２Ａ…吸込口、６２Ｂ…吐出口、６４…ピストン、６６Ａ…第１逆止弁、６６Ｂ…第２逆止弁、７０…手動式ポンプ、７２…圧力室、７２Ａ…吸込口、７２Ｂ…吐出口、８０…ギアポンプ、８２…ギア列、９０…バッテリ、１００…冷却システム、１１０…ポンプ、１１２…回転体、１１４…爪歯車、１１６…板バネ、１１８…アーム、１２０…ウェイト、２００…冷却システム、２１０…ゼンマイ、２１２…切替スイッチ、２１４…出力ギア、２１６…入力ギア、２１８…支柱、２１８Ａ…支持部、２２０…切替ギア、３００…冷却システム、３１０…ポンプ、３１２…シリンダ、３１４…ピストン、３１６Ａ…第１逆止弁、３１６Ｂ…第２逆止弁、３１８…流路
【図１】
2007306053.tif 000003
【図２】
2007306053.tif 000004
【図３】
2007306053.tif 000005
【図４】
2007306053.tif 000006
【図５】
2007306053.tif 000007
【図６】
2007306053.tif 000008
【図７】
2007306053.tif 000009
【図８】
2007306053.tif 000010
【図９】
2007306053.tif 000011
【図１０】
2007306053.tif 000012
【図１１】
2007306053.tif 000013
【図１２】
2007306053.tif 000014
【図１３】
2007306053.tif 000015
【図１４】
2007306053.tif 000016
【図１５】
2007306053.tif 000017
【図１６】
2007306053.tif 000018
【図１７】
2007306053.tif 000019
【図１８】
2007306053.tif 000020
【図１９】
2007306053.tif 000021